(57)【特許請求の範囲】
【請求項１】
一端側に対物レンズを保持したボビンと、
フォーカシングコイルと、トラッキングコイルと、マグネット及びヨークからなる磁気回路部とから構成され、上記対物レンズをフォーカシング方向とトラッキング方向とに駆動変位させる駆動手段と、
一端部がそれぞれ上記ボビンに取り付けられるとともに他端部が支持部に取り付けられることによって上記ボビンを片持ち支持する複数の弾性支持部材と、
上記弾性支持部材の他端部が貫通される複数の挿通穴が設けられるとともに中央部に突出された台座状の基板取付け部を構成する支持ホルダと、
中央部に設けられ、上記支持ホルダの基板取付け部に固定される固定部と、上記固定部の両側に対称に設けられ、上記挿通穴を貫通された上記弾性支持部材の他端部を支持する上記支持部と、トラッキング方向に離間して一対に設けられ、共振周波数帯域制御用の閉空間とされた貫通孔とを有する取付け基板とを備え、
上記取付け基板は、上記支持ホルダの中央部に突出された台座状の基板取付け部にのみ固定されていることを特徴とする対物レンズ駆動装置。
【請求項２】
上記弾性支持部材は、弾性を有する導電性材料によって形成されるとともに一端部がフォーカシングコイル及びトラッキングコイルと電気的に接続され、
上記取付け基板には、上記弾性支持部材の他端部が挿通されて支持される嵌合穴の周囲に、給電部と接続される配線回路と連続された接続端子部が形成され、上記接続端子部と上記弾性支持部材とが電気的に接続されるように構成したことを特徴とする請求項１に記載の対物レンズ駆動装置。
【発明の詳細な説明】
【０００１】
【産業上の利用分野】
本発明は、光ディスクプレィヤー等の光ディスク記録及び／又は再生装置に備えられる対物レンズ駆動装置に関する。
【０００２】
【従来の技術】
光ディスクを記録媒体に用いる光ディスクプレィヤー等の光ディスク記録及び／又は再生装置には、半導体レーザ等の光源から出射された光ビームを集光して光ディスクに照射させる対物レンズを、光軸と平行な方向であるフォーカシング方向と光軸と直交する方向であるトラッキング方向とに駆動変位させる対物レンズ駆動装置が備えられている。
【０００３】
すなわち、この対物レンズ駆動装置は、対物レンズをフォーカシングエラー信号及びトラッキングエラー信号に応じてフォーカシング方向とトラッキング方向とに駆動変位させることにより、ディスク回転駆動装置によって回転駆動される光ディスクの信号記録面に対物レンズを介して照射される光ビームを正確に合焦させるとともに、光ビームを光ディスクに形成された記録トラックに追従させるように制御する。
【０００４】
例えば、従来の対物レンズ駆動装置５０は、図１３に示すように、対物レンズ５１を保持したボビン５２にフォーカシングコイル５３が組み付けられるとともに、両側面にトラッキングコイル５４が接合されている。ボビン５２は、張り付けられたプリント基板５７にゴムチューブ５５に被覆された４本の金属線５６の一端部が接合されることによって支持されている。金属線５６は、他端部が基台６０にねじ５９によって固定されたプリント基板５８に接合されている。基台６０は、磁性材によって形成されており、２個のマグネット６１が設けられて磁気回路を構成している。
【０００５】
対物レンズ駆動装置５０は、プリント基板５８側から金属線５６を介して電流がフォーカシングコイル５３とトラッキングコイル５４とに供給されることにより、基台６０とマグネット６１との電磁作用により、ボビン５２が駆動変位されて対物レンズ５１がフォーカシングエラー信号及びトラッキングエラー信号に応じてフォーカシング方向とトラッキング方向に駆動される。
【０００６】
【発明が解決しようとする課題】
ところで、上述した従来の対物レンズ駆動装置５０によれば、４本の金属線５６によって、可動部である対物レンズ５１とボビン５２及びフォーカシングコイル５３とトラッキングコイル５４との全体重量が支えられている。したがって、これら金属線５６は、ある程度太い線径として必要な機械的強度を保持するように構成されていた。
【０００７】
このため、対物レンズ駆動装置５０は、金属線５６の剛性が高くなって内部損失が小さくなり、共振をダンピングしにくいために、図１４に示すように、周波数伝達特性が悪いといった問題点があった。すなわち、対物レンズ駆動装置５０は、同図（Ａ）に示すように、可動部の一次共振周波数（ｆ0 ）での位相変化が急峻であり、また、ｆ0 における共振尖鋭度（Ｑ0 ）が大きい。したがって、対物レンズ駆動装置５０は、対物レンズ５１の位置制御特性が悪かったり、振動や外乱の影響を受けやすいといった問題点があった。
【０００８】
かかる問題点を解決するため、例えば金属線５６の外周部にゴムチューブを被覆する方法や、金属線５６の外周部に固定部間にやや圧縮された状態でコイルバネを介挿する方法等が提案されている。これらの対策は、不要な共振現象の発生を抑制し、対物レンズの高精度なフォーカシング制御、トラッキング制御が行なわれるようにする。
【０００９】
また、他の方法としては、ゴム等の粘弾性材を金属線５６に添着する方法も提案されている。この対策は、粘弾性材のダンピング性により、Ｑ0 を抑制することが可能となり、対物レンズの高精度なフォーカシング制御、トラッキング制御が行われる。
【００１０】
しかしながら、上述した第１の対策は、構造が複雑となってコストアップとなるとともに、小型化の達成も困難であるといった問題点があった。また、第２の対策も、Ｑ0 が粘弾性材のダンピング性により決定されるため、経時変化、温度変化によって特性劣化が生じ、信頼性が悪いといった問題があった。
【００１１】
したがって、本発明は、構造が簡易であり、使用周波数帯域における共振尖鋭度を抑制するとともに部品精度、組立精度等に起因する影響を緩和しかつ経時変化、温度変化に対しても信頼性を保持した対物レンズ駆動装置を提供することを目的に提案されたものである。
【００１２】
【課題を解決するための手段】
この目的を達成した本発明に係る対物レンズ駆動装置は、一端側に対物レンズを保持したボビンと、フォーカシングコイルと、トラッキングコイルと、マグネット及びヨークからなる磁気回路部とから構成され、上記対物レンズをフォーカシング方向とトラッキング方向とに駆動変位させる駆動手段と、一端部がそれぞれ上記ボビンに取り付けられるとともに他端部が支持部に取り付けられることによって上記ボビンを片持ち支持する複数の弾性支持部材と、上記弾性支持部材の他端部が貫通される複数の挿通穴が設けられるとともに中央部に突出された台座状の基板取付け部を構成する支持ホルダと、中央部に設けられ、上記支持ホルダの基板取付け部に固定される固定部と、上記固定部の両側に対称に設けられ、上記挿通穴を貫通された上記弾性支持部材の他端部を支持する上記支持部と、トラッキング方向に離間して一対に設けられ、共振周波数帯域制御用の閉空間とされた貫通孔とを有する取付け基板とを備え、上記取付け基板は、上記支持ホルダの中央部に突出された台座状の基板取付け部にのみ固定されていることを特徴とする。
【００１３】
【作用】
以上のように構成された本発明に係る対物レンズ駆動装置によれば、可動部を構成するボビンをフォーカシング方向とトラッキング方向とに弾性変位自在に支持する弾性支持部材の固定側を支持する取付け基板に、自由度が付与されることから、機械的特性を有する弾性支持部材が備えられていてもｆ0 における位相変化が緩やかとなってＱ0 が抑制される。また、対物レンズ駆動装置は、取付け基板の材質、板厚寸法、非固定部の形状仕様或いは支持ホルダとの固定部から弾性支持部材の取付け部との仕様が選択されることにより、ｆ0 の周波数帯域の調整、及び寄生共振の共振周波数の設定並びにその共振尖鋭度の抑制が図られる。
【００１４】
【実施例】
以下、本発明の具体的な実施例を図面を参照して説明する。実施例は、光ピックアップ装置１に組み付けられ、対物レンズ４を光軸と平行な方向であるフォーカシング方向に制御動作させるとともに光軸と直交する方向であるトラッキング方向に制御動作させるコイル可動型の対物レンズ駆動装置２を示す。対物レンズ駆動装置２は、ベース１３にレーザユニット３或いは光ディスクからの戻り光を検出する受光素子等とともに搭載されて光ピックアップ装置１を構成する。
【００１５】
対物レンズ駆動装置２は、相対向する両側にディスクプレィヤーに互いに平行に配設される平行ガイド部を構成するスライドガイド基準軸１４及びスライドガイド軸１５がそれぞれ挿通され又は係合される被ガイド部としての軸受け部１３Ａ、１３Ｂが両側部に設けられたベース１３に取り付けられる。第１の軸受け部１３Ａは、ベース１３の幅方向に離間した軸穴を有する一対の凸部によって構成されている。第２の軸受け部１３Ｂは、一方側を開放した半円状の軸穴を有する凸部によって構成されている。
【００１６】
対物レンズ駆動装置２は、対物レンズ４を保持したボビン４を弾性変位自在に支持する弾性支持部材７の延長方向を、互いに平行なスライドガイド基準軸１４及びスライドガイド軸１５の軸方向に直交させ、これらスライドガイド基準軸１４及びスライドガイド軸１５の中央部に位置してベース１３に配設されている。ベース１３には、ヨーク８がビス等を用いて取り付けられており、このヨーク８に支持ホルダ９が取り付けられて固定部を構成している。
【００１７】
ベース１３には、第２の軸受け部１３Ｂ側に位置して対物レンズ駆動装置２の対物レンズ４を介して光ディスクに照射される光ビームを出射するレーザ光源としての半導体レーザ素子を備えたレーザユニット３や、光ディスクから反射された戻り光を受光する受光素子、半導体レーザから出射された光ビームと戻り光とを分離する分離光学素子等が配設されている。
【００１８】
光ピックアップ装置１は、ベース１３の両側部に軸受け部１３Ａ、１３Ｂを有し、対物レンズ駆動装置２をディスクプレーヤー内に互いに平行に配設されたスライドガイド基準軸１４及びスライドガイド軸１５に支持して光ディスクの半径方向に駆動する。
【００１９】
対物レンズ装置２は、図１及び図２に示すように、可動部を構成する対物レンズ４、ボビン５、フォーカシングコイル１６及びトラッキングコイル１７と、固定部側を構成するヨーク８とマグネット１２からなる磁気回路部と、支持ホルダ９及び給電基板１０とを備えて構成されている。対物レンズ４は、ボビン５に取付けられ、光ピックアップ装置１の光源としてレーザユニット３の半導体レーザから出射された光ビームを集光して光ディスクの信号記録面に照射し、また光ディスクから反射された戻り光が入射される。
【００２０】
可動部を構成するボビン５は、ポリスチレン等の合成樹脂を材料として形成され、図３に示すように、中央部に方形の開口部５Ａが形成されるとともに、一端側に突出するように対物レンズ取付け部５Ｂが一体に設けられている。この対物レンズ取付け部５Ｂには、中央部に取付け凹部が設けられていて、レンズホルダを介して対物レンズ４が取り付けられている。この取付け凹部の底面部には、対物レンズ４に入射される半導体レーザから出射された光ビーム及び対物レンズ４から透過される光ディスクからの戻り光を透過させるための光透過孔が設けられている。
【００２１】
ボビン５には、相対向する両側部の前後方向の略中央部に位置して、開口部５Ａを横断するようにしてコイル取付け板嵌合溝５Ｃが設けられている。ボビン５には、これらコイル取付け板嵌合溝５Ｃを介して、矩形状をなす平板状の部材として形成されたコイル取付け板６が取付けられる。このコイル取付け板６は、ガラスエポキシ樹脂板や合成樹脂材料板の如き材料によって形成され、図２に示すように、コイル取付け板嵌合溝５Ｃに嵌合されてボビン５に取り付けたとき、両端部側がボビン５の両側部からそれぞれ突出する大きさを有する長尺な方形状に形成されている。
【００２２】
コイル取付け板６には、一側面側に平板な矩形枠状をなす上下一対のコイル部からなるフォーカシングコイル１６が設けられるとともに、他側面側には、平板な矩形枠状をなす左右一対のコイル部からなるトラッキングコイル１７が設けられている。これらフォーカシングコイル１６及びトラッキングコイル１７を構成する各コイル部は、コイル取付け板６上に被着された銅箔をエッチングして矩形状のコイルパターンを形成して構成される。
【００２３】
なお、フォーカシングコイル１６及びトラッキングコイル１７を構成する各コイル部は、平板な矩形枠状をなすものであればよく、コイル用線材を平板状をなす矩形枠状に巻回したものであってもよい。この場合、コイル用線材を巻回して形成した各コイル部は、接着剤を用いてコイル取付け板６の一側面側及び他側面側にそれぞれ接合される。
【００２４】
上述のようにフォーカシングコイル１６及びトラッキングコイル１７が設けられたコイル取付け板６は、ボビン５の両側部に跨がってコイル取付け板嵌合溝５Ｃに嵌合される。コイル取付け板６は、フォーカシングコイル１６及びトラッキングコイル１７が設けられた平面が対物レンズ取付け部５Ｂに取り付けられた対物レンズ４の光軸と平行となるようにして、位置決めされて一体的に取り付けられる。コイル取付け板６は、コイル取付け板嵌合溝５Ｃに接着剤を塗布することによってのボビン５にしっかりと取り付けられる。
【００２５】
なお、コイル取付け板６は、ボビン５を成形する金型内に予め配設しておき、このボビン５の成形と同時に取り付けるインサート成形法によって、ボビン５に一体的に取り付けるようにしてもよい。また、対物レンズ４は、ボビン５にコイル取付け板６を取り付けた後、対物レンズ取付け部５Ｂに取り付けられる。これは、コイル取付け板６をボビン５に取り付ける際に対物レンズ４の損傷を防止するためである。
【００２６】
上述したように、コイル取付け板６及び対物レンズ４が取り付けられたボビン５は、４本の線状からなるワイヤーの如き弾性支持部材７を介して、磁気回路部を構成するヨーク８に取り付けられる支持ホルダ９に片持ち支持される。このとき、ボビン５は、相対向する両側を一対ずつの弾性支持部材７により支持ホルダ９に片持ち支持されることにより、上記弾性支持部材７を弾性変位部として対物レンズ４の光軸と平行な方向であるフォーカシング方向と、上記対物レンズ４の光軸と直交する方向であるトラッキング方向とに駆動変位可能とされる。弾性支持部材７は、細長い金属ワイヤ又は細い長尺な金属性の板バネ等の導電性を有する材料により形成されている。
【００２７】
４本の弾性支持部材７は、ボビン５を支持するために、このボビン５に一体的に取付けられたコイル取付け板６の両側部からそれぞれ突出した両端部に設けた嵌合穴６Ａに一端側がそれぞれ挿通される。なお、コイル取付け板６には、図示しないが、嵌合穴６Ａの周囲にフォーカシングコイル１６及びトラッキングコイル１７のコイル端部から延長された接続端子部が形成されている。
【００２８】
各弾性支持部材７は、図３に示すように、嵌合穴６Ａにそれぞれ挿通されて接続端子部上に塗布される半田によりコイル取付け板６に固定される。各弾性支持部材７は、後述するように、フォーカシングコイル１６及びトラッキングコイル１７に対する給電線を構成する。なお、各弾性支持部材７は、接続端子部に電気的な導通が図られてコイル取付け板６に固定されればよく、半田に代えて導電性を有する接着剤を用いてもよい。
【００２９】
４本の弾性支持部材７は、上述のように一端側がコイル取付け板６に電気的に接続された状態で固定されることによってボビン５を片持ち支持し、他端部が固定部を構成する支持ホルダ９の背面に一体に取り付けられた給電基板１０に電気的に接続された状態で固定される。
【００３０】
支持ホルダ９は、ポリスチレン等の合成樹脂を材料として全体が略矩形ブロック状を呈して形成され、後述するように、ヨーク８の一端側にボビン５の対物レンズ取付け部５Ｂと対向するようにして取り付けられて固定部を構成する。支持ホルダ９は、ボビン５に取り付けられたコイル取付け板６と平行に対峙されている。支持ホルダ９には、両側部９Ａにコイル取付け板６の嵌合穴６Ａと軸線を一致させたそれぞれ上下一対の挿通穴９Ｂが設けられている。これら挿通穴９Ｂは、それぞれ弾性支持部材７の一端部を貫通させる。
【００３１】
支持ホルダ９には、背面部に基板取付け部９Ｃが一体に形成されており、この基板取付け部９Ｃ上に給電基板１０が接合固定されている。基板取付け部９Ｃは、図３に示すように支持ホルダ９の長手方向の中央部に高さ寸法Ｇ、幅寸法Ｌ2 を以って突出された台座状に形成されている。
【００３２】
給電基板１０は、後述するように中央部の取付け領域が両面接着テープや超音波溶着等の方法によって支持ホルダ９の基板取付け部９Ｃ上にしっかりと接合固定されて固定部１０Ｃを構成している。給電基板１０は、ガラスエポキシ樹脂板や合成樹脂材料板の如き材料によって形成され、図２に示すように、両側部分１０Ａが上下方向にやや突出されることにより、全体が横長の略々Ｈ字状を呈して形成されている。給電基板１０には、図４に示すように、幅方向に離間して一対の横長の切欠き穴１０Ｄが設けられている。また給電基板１０の主面には、図示しない対物レンズ駆動制御回路に接続される回路導体１１が形成されている。
【００３３】
給電基板１０は、後述するように支持ホルダ９の基板取付け部９Ｃに接合固定された状態において、両側に張り出される領域が非固定部１０Ａとして構成される。非固定部１０Ａには、給電基板１０が支持ホルダ９に接合固定された状態において、この支持ホルダ９の挿通穴９Ｂと軸線が一致される嵌合穴１０Ｂがそれぞれ上下に離間して左右一対設けられている。弾性支持部材７は、それぞれ支持ホルダ９の挿通穴９Ｂを貫通して給電基板１０の嵌合穴１０Ｂに嵌合される。給電基板１０には、嵌合穴１０Ｂの外周を囲んで回路導体１１のランド部１１Ａが形成されている。したがって、弾性支持部材７は、嵌合された端部とランド部１１Ａとを半田付けすることによって、給電基板１０の回路導体１１とが電気的に接続された状態で機械的に結合される。
【００３４】
なお、弾性支持部材７と給電基板１０との電気的接続及び機械的な結合の方法は、半田付けの他に、例えば導電性接着剤を各弾性支持部材７の他端部の外周部からランド部１１Ａに亘って塗布することによって行ってもよい。
【００３５】
以上のように構成された給電基板１０は、支持ホルダ９の基板取付け部９Ｃ上に接合固定されることにより、図４に示す中央部のＬ2 の領域を固定部１０Ｃとして基板取付け部９Ｃに固定されるとともに、基板取付け部９Ｃから側方へと張り出されたＬ3 、Ｌ4 の領域が非固定部１０Ａとされる。
【００３６】
なお、図３及び図４において、Ｌ1 は、弾性支持部材７が固定される左右の嵌合穴１０Ｂの間隔寸法、Ｌ2 は固定部１０Ｃの長さ寸法、Ｌ3 及びＬ4 は、非固定部１０Ａの長さ寸法である。また、ｔは、給電基板１０の厚み寸法、Ｇは、支持ホルダ９の基板取付け部９Ｃの高さ寸法であって、給電基板１０の非固定部１０Ａと支持ホルダ９の背面とのギャップである。さらに、Ｗ3 は、弾性支持部材７が固定される上下の嵌合穴１０Ｂの間隔寸法、Ｗ1 及びＷ2 は、嵌合穴１０Ｂと切欠き穴１０Ｄとの間隔寸法である。
【００３７】
したがって、対物レンズ駆動装置２は、給電基板１０の形状仕様或いはこの給電基板１０と支持ホルダ９との取付け仕様を適宣選択することにより、給電基板１０の板厚寸法ｔ、非固定部１０Ａの長さ寸法Ｌ3 、Ｌ4 及び嵌合穴１０Ｂと切欠き穴１０Ｄとの間隔寸法Ｗ1 、Ｗ2 を変数として、給電基板１０に対する弾性支持部材７の取付け仕様が調整可能となる。
【００３８】
図７乃至図９は、弾性支持部材７の固定部側の支持部２０を構成する支持ホルダ９と給電基板１０とを示す。支持ホルダ９は、上述したように、背面部に台座状の基板取付け部９Ｃが一体に形成されている。給電基板１０は、支持ホルダ９に対して上述したＬ2 ×Ｗ3 の範囲を固定部１０Ｃとして、両面接着テープ２１を用いてしっかりと接合固定される。給電基板１０は、切欠き穴１０Ｄを設けることによって、共振周波数帯域の逓減が図られている。
【００３９】
図１０乃至図１２は、支持ホルダ９と給電基板１０とからなる他の支持部２５を示し、給電板１０は、共振周波数帯域の逓減作用を奏する一対の位置決め穴２７、２７を利用して支持ホルダ９の基板取付け部９Ｃに位置決めされた状態で接合固定される。すなわち、支持ホルダ９は、基板取付け部９Ｃに長手方向に離間して一対の位置決めボス２６、２６が一体に突設されている。給電基板１０は、切欠き穴２７、２７にこれら位置決めボス２６、２６が嵌合されることによって支持ホルダ９に位置決めされて組み合わされる。
【００４０】
この場合、支持ホルダ９と給電基板１０とは、基板取付け部９Ｃの表面に凹設した接着剤充填凹部２８に予め充填した接着剤によってしっかりと接合固定される。勿論、支持ホルダ９と給電基板１０とは、上述した両面接着テープによって接合固定してもよいことは勿論である。さらに、支持ホルダ９と給電基板１０とは、位置決めボス２６、２６に熱溶着処理を施すことによって強固に接合固定してもよいことは勿論である。
【００４１】
ヨーク８は、上述したように一端側に支持ホルダ９が取り付けられるとともに略中央部に一対の立上り片８Ａ、８Ｂが立上り形成されている。ヨーク８には、これら立上り片８Ａ、８Ｂの相対向する側面にマグネット１２Ａ、１２Ｂが取り付けられている。ヨーク８は、これらマグネット１２Ａ、１２Ｂとによって磁気回路部を構成し、コイル取付け板６に設けられたフォーカシングコイル１６及びトラッキングコイル１７と共働して、対物レンズ４をフォーカシング方向とトラッキング方向とに駆動変位させる駆動力を発生させる。
【００４２】
ヨーク８は、背面側に、マグネット１２Ａ、１２Ｂが取り付けられる立上り片８Ａ、８Ｂと平行にホルダ取付け部が立上り形成されている。そして、支持ホルダ９は、相対向する両側に形成した嵌合支持部をホルダ取付け部の両側に嵌合させることによってヨーク８に取り付けられる。ヨーク８は、支持ホルダ９が取り付けられた状態において、マグネット１２Ａ、１２Ｂを取り付けた立上り片８Ａ、８Ｂがボビン５に設けた開口部５Ａ内に挿入位置される。立上り片８Ａ、８Ｂは、ボビン５の開口部５Ａ内において、コイル取付け板６の光軸に対して直交する両側に位置し、このコイル取付け板６に設けられたフォーカシングコイル１６及びトラッキングコイル１７を一対のマグネット１２Ａ、１２Ｂにより構成される磁気ギャップ内に配置させる。
【００４３】
フォーカシングコイル１６を構成する一対の矩形枠状のコイル部は、ボビン５に取り付けられた対物レンズ４の光軸に直交する方向であるコイル取付け板６の長手方向と平行な水平部を長辺とし、対物レンズ４の光軸方向と平行な方向であるコイル取付け板６の短辺方向と平行な垂直部を短辺とする矩形枠状の平板状に形成されている。フォーカシングコイル１６のコイル部は、互いに巻回方向を逆向きにして形成され、互いに隣接する一方の水平部間に僅かの間隙を設けて並列してコイル取付け板６の一側面上に設けられている。
【００４４】
フォーカシングコイル１６は、対物レンズ４が光軸と直交する平面方向であるトラッキング方向に駆動変位させられたとき、垂直部が一対のマグネット１２Ａ、１２Ｂにより構成される磁気ギャップ内に臨むことがない長さを有する矩形枠状に形成されている。すなわち、フォーカシングコイル１６は、垂直部の間隔が少なくともマグネット１２Ａ、１２Ｂの幅に対物レンズ４のトラッキング方向の駆動変位量を加えた長さに設定される。対物レンズ駆動装置２は、このフォーカシングコイル１６の構成によって、垂直部がマグネット１２Ａ、１２Ｂ間に構成される磁気ギャップ内に位置し、フォーカシングコイル１６に供給される駆動電流により対物レンズ４を光軸と平行な方向に駆動させる駆動力以外の不要な駆動力が発生されない。
【００４５】
また、トラッキングコイル１７は、ボビン５に取り付けられた対物レンズ４の光軸と平行な方向であるコイル取付け板６の長手方向に直交する短辺方向と平行な垂直部を長辺とし、対物レンズ４の光軸と直交する方向であるコイル取付け板６の長辺方向と平行な水平部を短辺とする矩形枠状の平板状に形成されている。トラッキングコイル１７は、互いに巻回方向を逆向きにして形成され、互いに隣接する一方の垂直部間に僅かの間隙を設けて並列してコイル取付け板６の他側面上に設けられている。
【００４６】
トラッキングコイル１７は、対物レンズ４が光軸と平行な方向であるフォーカシング方向に駆動変位させられたとき、水平部が一対のマグネット１２Ａ、１２Ｂにより構成される磁気ギャップ内に臨むことがない長さを有する矩形枠状に形成されている。すなわち、トラッキングコイル１７は、水平部間の間隔が、少なくともマグネット１２Ａ、１２Ｂの高さに対物レンズ４のフォーカシング方向の駆動変位量を加えた長さに設定される。また、トラッキングコイル１７は、互いに隣接する一方の垂直部が、フォーカシングコイル１６の互いに隣接する一方の水平部の中央で積層されるようにしてコイル取付け板６上に設けられる。
【００４７】
上述の実施例では、フォーカシングコイル１６とトラッキングコイル１７は、コイル取付け板６の相対向する側面にそれぞれ設けられて構成されているが、コイル取付け板６の一側面側又は他側面側に互いに積層して設けるようにしてもよい。また、マグネット１２Ａ、１２Ｂは、単極着磁をもって厚さ方向に着磁が施こされるとともに、相対向する面側をそれぞれ異極として着磁されている。
【００４８】
以上のように構成された対物レンズ駆動装置２は、フォーカシングエラー信号に応じた制御電流が対物レンズ駆動制御回路から給電基板１０へと供給される。そして、このフォーカシング制御電流は、給電基板１０の回路導体１１から、導電性を有する弾性支持部材７を介してフォーカシングコイル１６に供給される。フォーカシングコイル１６は、互いに隣接する一方の水平部に流れる電流と磁気ギャップ内に放射されるマグネット１２Ａ、１２Ｂからの磁束とにより、ボビン５を対物レンズ４の光軸と平行な方向に駆動変位させる駆動力を発生させる。
【００４９】
ボビン５は、この駆動力により弾性支持部材７が弾性変位部として光軸と平行な方向に弾性変位させられ、対物レンズ取付け部５Ｂに取り付けられた対物レンズ４をその光軸と平行な方向に駆動変位させる。したがって、対物レンズ駆動装置２は、対物レンズ４を介して照射される光ビームのフォーカシング制御が行われる。
【００５０】
また、対物レンズ駆動装置２は、トラッキングエラー信号に応じた制御電流が対物レンズ駆動制御回路から給電基板１０へと供給される。そして、このトラッキング制御電流は、給電基板１０の回路導体１１から、導電性を有する弾性支持部材７を介してトラッキングコイル１７に供給される。トラッキングコイル１７は、互いに隣接する一方の垂直部に流れる電流と磁気ギャップ内に放射されるマグネット１２Ａ、１２Ｂからの磁束とにより、ボビン５を対物レンズ４の光軸と直交する平面方向に駆動変位させる駆動力を発生させる。
【００５１】
ボビン５は、この駆動力により弾性支持部材７が弾性変位部として光軸と直交する平面方向に弾性変位させられ、対物レンズ取付け部５Ｂに取り付けられた対物レンズ４をその光軸と直交する平面方向に駆動変位させる。したがって、対物レンズ駆動装置２は、対物レンズ４を介して照射される光ビームのトラッキング制御が行われる。
【００５２】
対物レンズ駆動装置２は、上述したように対物レンズ４が支持されたボビン５をフォーカシング方向とトラッキング方向とに駆動変位自在に支持する弾性支持部材７の一端部が、固定部を構成する給電基板１０に支持されている。そして、この給電基板１０は、弾性支持部材７の支持部である非固定部１０Ａが支持ホルダ９に対して非固定部として構成されている。
【００５３】
したがって、対物レンズ駆動装置２は、図３に示すように、給電基板１０の非固定部１０Ａにおいてこの給電基板１０の材料特性により厚み方向（Ｙ−Ｙ軸方向）に対して自由度Δｙが付与されて構成される。対物レンズ駆動装置２は、充分な剛性を有する弾性支持部材７によって対物レンズ４をフォーカシング方向とトラッキング方向とに駆動変位自在に支持しているが、この弾性支持部材７を全体として内部損失が高められて共振のダンピング作用を有するように構成することになる。
【００５４】
以上のように構成された対物レンズ駆動装置２においては、図５（Ａ）に示すように、一次共振周波数帯域ｆ0 における位相変化がなだらかな状態とされる。また、対物レンズ駆動装置２は、同図（Ｂ）に示すように、この一次共振周波数帯域ｆ0 における共振尖鋭度Ｑ0 の抑制が図られる。さらに、対物レンズ駆動装置２は、弾性支持部材７の線径、長さ寸法或いは組立て時の平行度等によって生じる一次共振周波数帯域ｆ0 や共振尖鋭度Ｑ0 のばらつきが緩和される。
【００５５】
また、対物レンズ駆動装置２は、図６に示した対物レンズ４、ホルダ５及びフォーカシングコイル１６、トラッキングコイル１７からなる可動部の重心と、駆動点の中心とのずれに起因する寄生共振の発生周波数帯域ｆD の設定及びこの周波数帯域ｆD における共振尖鋭度ＱD の抑制が図られる。すなわち、対物レンズ駆動装置２は、上述したように、給電基板１０の板厚寸法ｔ、非固定部１０Ａの長さ寸法Ｌ3 、Ｌ4 及び嵌合穴１０Ｂと切欠き穴１０Ｄとの間隔寸法Ｗ1 、Ｗ2 とが変数とされることにより、Ｙ−Ｙ軸方向の自由度Δｙの振幅が調整可能に構成されている。
【００５６】
自由度Δｙは、図６に示すように、大きく設定されることにより、寄生共振の発生周波数帯域ｆD を低い周波数帯域へと移行させ、また小さく設定することにより、寄生共振の発生周波数帯域ｆD を高い周波数帯域へと移行させる。自由度Δｙは、例えば板厚寸法ｔを薄くしたり、非固定部１０Ａの長さ寸法Ｌ3 、Ｌ4 を大きくしたり嵌合穴１０Ｂと切欠き穴１０Ｄとの間隔寸法Ｗ1 、Ｗ2 を小さくすることによって、大きい値に設定される。
【００５７】
このように、対物レンズ駆動装置２は、従来の対物レンズ駆動装置においては困難であった寄生共振の発生周波数帯域ｆD の設定が可能とされることにより、例えばこの対物レンズ駆動装置２の共振周波数帯域を固定部を構成するベース１３の共振周波数帯域に影響されない範囲で設定することが可能となる。したがって、ベース１３は、従来のように金属製に限定する必要は無く、例えば合成樹脂製とすることによって軽量化を図ることが可能となる。
【００５８】
なお、上述した実施例対物レンズ駆動装置２は、可動部であるボビン５側に、コイル取付け板６を介してフォーカシングコイル１６及びトラッキングコイル１７を配設するとともに固定部側のヨーク８にマグネット１２を配設したいわゆる可動コイル型の対物レンズ駆動装置を示したが、本発明は、マグネット１２をボビン５側に配設したいわゆるマグネット可動型対物レンズ駆動装置にも適用されることは勿論である。
【００５９】
また、フォーカシングコイル１６及びトラッキングコイル１７は、コイル取付け板６の側面部にそれぞれ平板状の矩形枠を以って形成されたが、本発明は、コイル枠体に巻線を施して構成したフォーカシングコイル及びトラッキングコイルコイルをボビン５の開口５Ａに配設固定したものであってもよいことは勿論である。
【００６０】
さらに、弾性支持部材７については、線状部材ばかりでなくばね板材によって形成したものであってもよい。また、弾性支持部材７は、フォーカシングコイル及びトラッキングコイルへの給電線を兼用したが、独立の給電線によってこれらフォーカシングコイル及びトラッキングコイルへの給電を行うようにしてもよいことは勿論である。
【００６１】
【発明の効果】
以上詳細に説明したように、本発明に係る対物レンズ駆動装置によれば、対物レンズをフォーカシング方向とトラッキング方向とに駆動変位自在に支持する弾性支持部材の一端部を、固定部を構成する支持ホルダに対して、非固定部の領域で支持するように構成したことにより、使用周波数帯域内に発生する共振尖鋭度が抑制され、外乱や振動による不要な共振が生じること無くフォーカシングエラー信号及びトラッキングエラー信号に対して応答性良く対物レンズの制御が可能となる。また、本発明に係る対物レンズ駆動装置によれば、部品精度や組立精度等に起因して可動部の重心と駆動点の中心とのずれによる寄生共振の周波数帯域の設定及びその共振尖鋭度の制御も可能となり、精度の高い対物レンズの制御が可能となる。
【００６２】
さらに、本発明に係る対物レンズ駆動装置によれば、ゴム等の粘弾性材を弾性支持部材に添加することも無いので、温度変化や経時変化に対しても信頼性の向上が図られる。
【図面の簡単な説明】
【図１】本発明に係る対物レンズ駆動装置を備えた光ピックアップ装置の全体斜視図である。
【図２】同対物レンズ駆動装置の斜視図である。
【図３】同対物レンズ駆動装置の基本構成を説明する要部平面図である。
【図４】同対物レンズ駆動装置の固定部を構成する支持ホルダ及び給電基板の基本構成を説明する側面図である。
【図５】同対物レンズ駆動装置において一定入力を与えた時の対物レンズ位置の周波数応答特性図を示し、同図（Ａ）は、一次共振周波数帯域ｆ0 における位相周波数特性図を示し、同図（Ｂ）は、一次共振周波数帯域ｆ0 における共振尖鋭度Ｑ0 の振幅周波数特性図を示す。
【図６】同対物レンズ駆動装置における周波数特性図を示し、寄生共振周波数帯域ｆD における位相変化、共振尖鋭度の発生を説明する位相周波数・振幅周波数特性図である。
【図７】同対物レンズ駆動装置に備えられる支持ホルダ及び給電基板の構成を説明する斜視図である。
【図８】同対物レンズ駆動装置に備えられる支持ホルダ及び給電基板の構成を説明する平面図である。
【図９】同対物レンズ駆動装置に備えられる支持ホルダ及び給電基板の構成を説明する側面図である。
【図１０】支持ホルダ及び給電基板の他の実施例を示す斜視図である。
【図１１】同支持ホルダ及び給電基板の平面図である。
【図１２】同支持ホルダ及び給電基板の側面図である。
【図１３】従来の対物レンズ駆動装置の一例を示す斜視図である。
【図１４】同対物レンズ駆動装置において一定入力を与えた時の対物レンズ位置の周波数応答特性図を示し、同図（Ａ）は、一次共振周波数帯域ｆ0 における位相周波数特性図を示し、同図（Ｂ）は、一次共振周波数帯域ｆ0 における共振尖鋭度Ｑ0 の振幅周波数特性図を示す。
【符号の説明】
１  光ピックアップ装置
２  対物レンズ駆動装置
３  レーザユニット
４  対物レンズ
５  ボビン
６  コイル取付け板
７  弾性支持部材
８  ヨーク
９  支持ホルダ
９Ｂ  挿通穴
１０  給電基板（取付け基板）
１０Ａ  非固定部
１０Ｂ  弾性支持部材の一端部が取り付けられる嵌合穴
１０Ｃ  固定部
１２  マグネット
１３  ベース
１６  フォーカシングコイル
１７  トラッキングコイル
【図１】
0003713742.tif 000002
【図２】
0003713742.tif 000003
【図３】
0003713742.tif 000004
【図４】
0003713742.tif 000005
【図５】
0003713742.tif 000006
【図６】
0003713742.tif 000007
【図７】
0003713742.tif 000008
【図８】
0003713742.tif 000009
【図９】
0003713742.tif 000010
【図１０】
0003713742.tif 000011
【図１１】
0003713742.tif 000012
【図１２】
0003713742.tif 000013
【図１３】
0003713742.tif 000014
【図１４】
0003713742.tif 000015